(57)【特許請求の範囲】
【請求項１】
少なくとも磁性粒子と分散媒と所望により増稠剤とからなる分散液体を封入する多セル構造部を有し、該多セル構造部の表層に感温変色手段を設けたことを特徴とする磁気表示パネル。
【請求項２】
感温変色手段が感温変色材料を透明板状基材の表面および／または裏面に層状に形成したものであることを特徴とする請求項１に記載の磁気表示パネル。
【請求項３】
感温変色手段が感温変色材料を透明性樹脂中に練り込んだ板状材からなることを特徴とする請求項１に記載の磁気表示パネル。
【請求項４】
感温変色手段が感温変色材料を多セル構造部表面に直接付設したものであることを特徴とする請求項１に記載の磁気表示パネル。
【請求項５】
感温変色材料が電子供与性呈色性有機化合物、電子受容性化合物及び変色温度を調節する有機化合物の三者を必須成分とする均質相溶体を壁膜で被覆してなる可逆性熱変色性マイクロカプセル顔料であることを特徴とする請求項２ないし４の何れかに記載の磁気表示パネル。
【発明の詳細な説明】
【０００１】
【発明の属する技術分野】
本発明は磁気により磁性粒子に作用して表示をし、消去する磁気表示パネルに関し、さらに詳しくは、磁気による表示と体温や任意の温度の熱ペン（温／冷）、周囲の温度変化等による感温表示とを併用できる磁気表示パネルに関するものである。
【０００２】
【従来の技術】
従来の磁気表示パネルとしては、黒色の磁性粒子を白色の分散液体中に分散したものが知られているが、これらの磁気表示パネルは黒色と白色の２色の表示しかできないものであった。また、磁極を異なる色に着色して色分けした微小粒子状の磁性粒子を分散液体中に分散したものも知られており、色の選択性に優れるものの、同様に磁性粒子の表面と裏面の２色の表示しかできないものであった。
【０００３】
特開平１１−１４９２６５号公報、登録実用新案第３０４７１７０号公報、登録実用新案第３０４８９２９号公報、登録実用新案第３０５３７０６号公報などには、表面にカラー着色を施したステンレス鋼粒子からなる磁性粒子を分散液体中に分散したものが提案され、さらに複数の異なる色に色分けしてカラー着色された磁性粒子を予め所望の領域に分割するように色分けして多セル構造に封入したものが提案されている。このような磁気表示パネルは、２色だけでなく多色の表示を可能とする変化に富んだ表示を達成できるものであるが、予め決まった領域に封入されたカラー磁性粒子の色調に表示の色調を支配されるので、任意の部分を多色に変化させることはできなかった。
【０００４】
登録実用新案第３０７５１９７号公報などには表面板に印刷を施したものがあるが、予め決まった絵柄や罫線などの印刷のみが常時見えており、消去することができないので磁気による表示面が狭くなるなどのデメリットがあった。
【０００５】
【発明が解決しようとする課題】
本発明においては、磁気による表示と体温や任意の温度の熱ペン（温／冷）、周囲の温度変化等による任意の位置における感温表示とを併用できる磁気表示パネルを提案することを本発明の目的とし、そのような課題の解決手段を提案するものである。
【０００６】
【課題を解決するための手段】
本発明は、上記課題を解決するために、少なくとも磁性粒子を含む磁気表示部分と感温変色手段による感温変色部分の２部構成としたことによって、本発明の磁気表示パネルを完成した。
すなわち、本発明は、
「１．少なくとも磁性粒子と分散媒と所望により増稠剤とからなる分散液体を封入する多セル構造部を有し、該多セル構造部の表層に感温変色手段を設けたことを特徴とする磁気表示パネル。
２．感温変色手段が感温変色材料を透明板状基材の表面および／または裏面に層状に形成したものであることを特徴とする第１項に記載の磁気表示パネル。
３．感温変色手段が感温変色材料を透明性樹脂中に練り込んだ板状材からなることを特徴とする第１項に記載の磁気表示パネル。
４．感温変色手段が感温変色材料を多セル構造部表面に直接付設したものであることを特徴とする第１項に記載の磁気表示パネル。
５．感温変色材料が電子供与性呈色性有機化合物、電子受容性化合物及び変色温度を調節する有機化合物の三者を必須成分とする均質相溶体を壁膜で被覆してなる可逆性熱変色性マイクロカプセル顔料であることを特徴とする第２項ないし第４項の何れかに記載の磁気表示パネル。」である。
【０００７】
上記磁気表示パネルによれば、全体的な磁気表示を行うことはもとより、全体または任意の場所における感温表示を行うなどの優れた表示効果を得ることができる。
【０００８】
本発明にて用いられる多セル構造はハニカム構造、マイクロカプセル構造、などが用いられ、磁気表示方式には泳動型、反転型、配向型などが採用できる。
【０００９】
感温変色手段としては、感温変色材料を樹脂などにより層状に形成したものなどが挙げられ、感温変色材料は、電子供与性呈色性有機化合物、電子受容性化合物及び変色温度を調節する有機化合物の三者を必須成分とする均質相溶体を壁膜で被覆してなる可逆性熱変色性マイクロカプセル顔料や液晶カプセルなどの有機系変色材料や特定の金属錯塩などの無機系のものなど一般的に公知なものが適宜使用可能である。可逆性のものが好ましいが、用途によっては不可逆性のものも使用できる。
【００１０】
加温して発色するタイプでも消色するタイプでも使用でき、その両方を合わせて用いることももちろんできる。ある温度で元の色から別の色に色調が変化するようなものやヒステリシス性のある感温領域を持つものも使用可能で、バリエーションを広げることができる。
【００１１】
感温変色手段は表示面の全面に設けてもよいし一部に任意の絵柄等として設けてもかまわない。全面に設けた場合、感温変色材料は一般的に高価であることからコストがかかる上、やや面白味に欠ける部分があるが、一部加飾にすれば、低コストで魅力ある変色域を構成することができ、好ましい。
【００１２】
また、予め色変化しない印刷を表面に施しても良い。感温変色手段の上に設ける時は隠蔽性の少ないものにする必要があるし、隠蔽性のあるものを用いる必要のある時は、感温変色手段の下面に位置するよう形成することが好ましい。
【００１３】
本発明では、磁気表示と感温変色表示を重ねて表現するが、以下のような効果が期待できる。まず、磁気ペンで線画を描き、熱（氷）ペンで塗り絵をするなどの使い方がある。この際、熱ペンと氷ペンでそれぞれ発色する温度域に応じた異なる色調にしておくとカラフルな塗り絵にすることができる。
【００１４】
また、花や紅葉などといった季節によって変化するものの絵柄を感熱変色手段により描いておけば、周囲の温度変化によりその季節に応じた色調表現ができたり、季節変化を磁気表示と共に表示パネルに施すことができる。
【００１５】
磁気表示と感温変色表示を組み合わせた本発明のパネルを玩具に用いた際には、磁気表示のおもしろさに加え、温度差による色変化のおもしろさが加わり、子供の興味を引き、文字の練習等教育玩具として楽しみながら使うことができる。また、夏は水のプールで使うことで、水温等による発色または消色効果を得ることができ、お風呂等では通年、湯温での色変化を楽しみながら文字やお絵かきなどを磁気表示と共にすることができる。
【００１６】
感温変色手段は２層以上重ねることもでき、表現のバリエーションを拡大することができる。例えば、Ｙ、Ｍ、Ｃといった３原色の個々の変色温度域を変えて重ねて設けると、熱ペンの温度を変えることなどで混色を生じさせることができ、多色の記録が可能となる。
【００１７】
【発明の実施の形態】
本発明の磁気表示パネルの基本的構成は、少なくとも磁性粒子と分散媒と所望により増稠剤とからなる分散液体を封入する多セル構造部を有し、該多セル構造部の表層に感温変色手段を設けた構成である。
【００１８】
多セル構造部の表層に設ける感温変色手段は感温変色材料を層状に塗工ないし貼り合わせしても良いし、基材自体に練り込んでもかまわない。
【００１９】
層状に塗工ないし貼り合わせする場合には、透明性を有する基板の表面側に設けてもよいし、裏面側すなわち多セル構造部側に設けてもよい。表面側に設ければ、感温レスポンスが向上するが、直接磁気ペンなどに触れるので擦過や溶剤接触などによる機能劣化などの障害が発生する危険があり、感温変色材料や形成方法、塗工の際のバインダ樹脂などを適宜選択し対応する必要がある。
【００２０】
裏面側に設けた際には、直接外部に露出しないので機能劣化の危険がなく、磁性粒子との距離も近づくので、より一体化した表示が可能で、効果的である。ただし、やや感温レスポンスが鈍くなる傾向があるので、感温変色材を適宜選択し、対応することが必要である。
【００２１】
また、基材自体に練り込んだ場合には、感温変色手段を塗工する手間などが省けるので製造上のメリットがあるほか、裏面に設けたものよりは感温レスポンスが早く、表面に設けたものよりは擦過や溶剤接触などによる機能劣化を抑制できるなどの効果を有する。
【００２２】
それぞれを組み合わせて多色を表現することもできるし、その際には、感温変色領域に差を付けるとよりおもしろい表現が可能となる。ヒステリシス形の感温変色形態のものであれば、また変化のある表現が可能である。
【００２３】
以下に磁気表示パネルの例を挙げ、本発明を具体的に説明する。
【００２４】
本発明に用いられる磁気表示パネルは、磁気表示方式として泳動型、反転型、配向型のものを採用することができ、磁気表示部分の基本的構造は、少なくとも磁性粒子と分散媒と所望により増稠剤とからなる分散液体を封入する多セル構造部を有し、該多セル構造部を支持材により保持したものが挙げられる。
【００２５】
磁性粒子としては、黒色マグネタイト、γ−ヘマタイト、二酸化クロム、フェライト等の酸化物磁性材料や、コバルト、ニッケル等の合金系の金属材料等の磁性材料、微小ステンレス鋼表面に着色加飾したカラー磁性粒子、Ｓ極面とＮ極面を異なる色で着色し、色分けした微小粒子状のものなど、適宜使用可能である。
【００２６】
分散媒としては、磁気により表示および消去を行うよう磁性粒子を保持し、かつ直接感温変色手段が接触する場合にもそれを侵さない溶媒であれば適宜使用可能で、具体的には、油類、脂肪族炭化水素等の無極性溶剤、グリコ−ル類やアルコ−ル類等の極性溶剤や水などが使用できる。好ましくは、イソパラフィン、スピンドル油、エチレングリコ−ル等が使用される。
【００２７】
増稠剤としては、無機増稠剤や有機増稠剤の一種または二種以上を選択して、単独または組み合わせて用いることができる。例えば、微粉末ケイ酸、水酸基を有する脂肪酸ビスアマイド、具体的には、エチレンビス−１２−ヒドロキシステアリン酸アマイドや、水添ヒマシ油、あるいはＮ−アシルアミノ酸アルキルアマイド、例えばＮ−ラウロイル−Ｌ−グルタミン酸−α、γ−ジ−ｎ−ブチルアマイド等を用いる。こうした中から一種または二種以上を選択して、単独または組み合わせて用いることができる。
【００２８】
分散液体は、通常、特定の降伏値と粘度を有している。降伏値は分散液体中の磁性粒子が適正に分散されるためと表示の際には磁性粒子が表面付近に保持されている必要があるのでその沈降防止に作用するもので、粘度は磁気をかけたときに磁気をかけた部分のみ作用するのに重要なものである。その降伏値と粘度は、磁性粒子等の材質や形状、大きさなどに大きく関与するので、上記作用を満たすものであれば適宜設計可能である。
【００２９】
図１は、透明板状基材と対になる裏面板の２枚の基板間に六角形のハニカム構造を設け、多セル構造に形成し、これらセル内に磁性粒子と分散媒と着色剤と増稠剤とを含む分散液体を封入した磁気表示部を有し、透明板状基材の裏面に感温変温手段を設けた磁気表示パネルである。
【００３０】
表面に基材を設ける場合には透明板状のものを用いると好ましい。裏側には、透明または不透明なもののどちらを用いてもよいが、両面を透明にすることにより、磁気ペン等により、パネルの両面から文字や模様等を表示することができる。また、表側に表示された文字や模様等は表裏の色が逆になって裏面から文字や模様等を読み取ることができる。
【００３１】
磁気表示パネルの製造の第１の実施の形態としては、図１に示したように薄板状の基材上にハニカム構造を設け、小室を形成し、該小室に分散液体を充填後、表層に透明な板状基材を貼り、多セル構造部を形成し、透明板状基材の裏面に感温変色手段を設けた磁気表示パネルが挙げられる。この場合、裏面に感温変色手段が形成されており、直接露出して設けられていないので、擦過や溶剤接触などで機能劣化することのない堅牢なものであるが、やや感温変色手段のレスポンスと発色が劣る場合がある。
【００３２】
第２の実施の形態としては、第１の形態において、表層の透明板状基材の裏面に設けた感温変色手段を透明板状基材の表面に設けた磁気表示パネルが挙げられる。この場合、感温レスポンスが良く、かつ表示も鮮明であるが、擦過や溶剤接触などで機能劣化する可能性がある。
【００３３】
第３の実施の形態としては、第１の形態において、表層の透明板状基材の裏面に設けた感温変色手段を図２に示したように透明板状基材に練り込んで形成した磁気表示パネルが挙げられる。この場合、感熱変色手段を塗工する手間などが省けるので、製造上のメリットを有している。
【００３４】
また、第４の実施の形態として磁気表示パネルの多セル構造部に分散液体を内包したマイクロカプセルとし、それらを樹脂等により固着し、その表面に熱変色手段を直接設けた磁気表示パネルが挙げられる。
【００３５】
第５の実施の形態として、分散液体を封入したマイクロカプセルを並べ、袋詰めにしたような形態のものや、表層に透明板状基材を設けたものなどが挙げられる。第５の実施の形態としては、袋または透明板状基材の表面に感温変色手段を設けてもよいし、裏面すなわちマイクロカプセルとの間に設けてもよい。
【００３６】
上記、実施の形態には表層側のみの例を挙げたがパネル裏側にも同様な形態の感温変色手段を設けることもできる。
【００３７】
また、薄板状の基材上にハニカム構造を設け小室を形成するだけでなく、基材に形成した多数の凹所により構成された小室に分散液体を充填し、表面基材を貼って多セル構造を形成することもできる。さらに、基材の一方または両方に凹所を設けこの基材を合わせて板状基材間に独立した小室を形成してもよい。
【００３８】
透明板状基材としては、プラスチックフィルムやガラスや金属など分散液体が流れ出さないように封入できるものであれば、適宜選択可能である。
【００３９】
【発明の効果】
以上説明したように、本発明は全体的な磁気表示を行うことはもとより、全体的または任意の場所における感温表示を合わせて行うなどの多様な表示効果を得ることができる優れたものである。
【図面の簡単な説明】
【図１】本発明の磁気表示パネルの一例を示す断面図
【図２】本発明の磁気表示パネルの別の一例を示す斜視図
【図３】本発明の磁気表示パネルの一例を示す斜視図
【図４】本発明の磁気表示パネルの別の一例を示す斜視図
【図５】従来の磁気表示パネルの一例を示す斜視図
【符号の説明】
１透明板状基材
２感温変色層
３多セル構造部
４磁性粒子
５裏面板
６ハニカム構造
７感温変色材料を練り込んだ透明板状基材
８磁気表示パネル
９外装材
１０色変化しない印刷を一部に施した発色していない時の感温変色手段
１１発色した時の感温変色手段
１２磁気ペンによる筆跡
１３熱ペンによる筆跡
１４発色していない時の感温変色手段（全面塗工）
１５市松模様に色分けされたカラー磁性粒子を用いた従来の磁気パネル
【図１】
0004049362.tif 000002
【図２】
0004049362.tif 000003
【図３】
0004049362.tif 000004
【図４】
0004049362.tif 000005
【図５】
0004049362.tif 000006